(57)【特許請求の範囲】
【請求項１】
太陽電池を含む矩形状のモジュール本体と、
前記モジュール本体を包囲するように設けられた枠体と、
を備え、
前記枠体は、前記モジュール本体の一端面の外側に配された第１の枠片を有し、
前記第１の枠片は、
前記モジュール本体の一主面上に配された第１の部分と、
前記モジュール本体の他主面上に配された第２の部分と、
前記モジュール本体の一端面の外側に配されており、前記第１の部分と前記第２の部分とを接続している第３の部分と、
前記第１の部分の前記第３の部分との接続部から外側に向かって延びる第４の部分と、を含み、
前記第４の部分は、厚み方向に貫通する貫通孔を有し、
前記第１の部分には、前記貫通孔に連なる欠損部が設けられている、
太陽電池モジュール。
【請求項２】
前記貫通孔は、前記第４の部分の端部に設けられた切欠により構成され、前記切欠は前記一端面の延びる方向に開口を有する、
請求項１に記載の太陽電池モジュール。
【請求項３】
前記切欠が、前記一端面の延びる方向における前記第４の部分の両端部のそれぞれに設けられている、
請求項２に記載の太陽電池モジュール。
【請求項４】
前記第３の部分には、前記第１の部分の欠損部に応じた位置に欠損部が設けられており、前記第３の部分の欠損部の一主面側の端面は、前記モジュール本体の一主面と略同一面となるか、前記モジュール本体の一主面より他主面側となるように設けられる、
請求項１に記載の太陽電池モジュール。
【請求項５】
前記第１の枠片は、前記第４の部分の外側端部から前記一端面と平行に延びる第５の部分をさらに含む、
請求項１〜４のいずれか一項に記載の太陽電池モジュール。
【請求項６】
前記枠体は、前記モジュール本体の前記一端面と平行な他端面の外側に配された第２の枠片をさらに有し、
前記第２の枠片は、
前記モジュール本体の一主面上に配された第６の部分と、
前記モジュール本体の他主面上に配された第７の部分と、
前記モジュール本体の一端面の外側に配されており、前記第６の部分と前記第７の部分とを接続している第８の部分と、を含む、
請求項５に記載の太陽電池モジュール。
【請求項７】
前記第１の枠片は、前記第４の部分の外側端部から前記一端面と平行に延びる第５の部分をさらに含む、
請求項６に記載の太陽電池モジュール。
【請求項８】
請求項７に記載の太陽電池モジュールを複数備え、
前記複数の太陽電池モジュールが、前記第１の枠片の前記第５の部分と前記第２の枠片とが当接するように敷設されている、
太陽電池モジュールの設置構造。
【請求項９】
前記第２の枠片は、
前記第６の部分の前記第８の部分との接続部から外側に向かって延びる第９の部分と、
前記第９の部分の外側端部から前記一端面と平行に延びる第１０の部分と、
を含み、
前記複数の太陽電池モジュールが、前記第１の枠片の前記第５の部分と前記第２の枠片の前記第１０の部分とが当接するように敷設されている、
請求項８に記載の太陽電池モジュールの設置構造。
【発明の詳細な説明】
【技術分野】
【０００１】
本発明は、太陽電池モジュール及びその設置構造に関する。
【背景技術】
【０００２】
特許文献１には、太陽電池を有するモジュール本体と、枠体とを有する太陽電池モジュールが記載されている。特許文献１に記載の太陽電池モジュールでは、枠体は、モジュール本体を包囲するように設けられている。枠体は、４つの線状の枠片により構成されている。枠体には、モジュール本体に向かって開口する溝が設けられている。その溝にモジュール本体が挿入されている。枠体は、モジュール本体の受光面側の主面上に設けられた部分を有する。枠体のモジュール本体の受光面側の主面上に設けられた部分には水抜き用の切欠が設けられている。このため、モジュール本体の受光面側の主面上の水が効率的に排出される。
【先行技術文献】
【特許文献】
【０００３】
【特許文献１】実開平６−１７２５７号公報
【発明の概要】
【発明が解決しようとする課題】
【０００４】
例えば、住宅の屋根に太陽電池モジュールが敷設される場合、高い出力特性を実現するために、太陽電池モジュールは、隙間なく密に敷設される。隙間なく密に敷設された場合は、特許文献１に記載のように、枠体のモジュール本体の受光面側の主面上に設けられた部分に水抜き用の切欠が設けられていても、モジュール本体の受光面側の主面上の水の排出効率が十分に高くできない場合がある。
【０００５】
本発明は、モジュール本体の受光面側の主面の上の水の排出効率に優れる太陽電池モジュールを提供することを主な目的とする。
【課題を解決するための手段】
【０００６】
本発明に係る太陽電池モジュールは、矩形状のモジュール本体と、枠体とを備える。モジュール本体は、太陽電池を含む。枠体は、モジュール本体を包囲するように設けられている。枠体は、第１の枠片を有する。第１の枠片は、モジュール本体の一端面の外側に配されている。第１の枠片は、第１の部分と、第２の部分と、第３の部分と、第４の部分とを含む。第１の部分は、モジュール本体の一主面上に配されている。第２の部分は、モジュール本体の他主面上に配されている。第３の部分は、モジュール本体の一端面の外側に配されている。第３の部分は、第１の部分と第２の部分とを接続している。第４の部分は、第１の部分の第３の部分との接続部から外側に向かって延びている。第４の部分は、厚み方向に貫通する貫通孔を有する。
【０００７】
本発明に係る太陽電池モジュールの設置構造は、太陽電池モジュールを複数備える。太陽電池モジュールは、矩形状のモジュール本体と、枠体とを備える。モジュール本体は、太陽電池を含む。枠体は、モジュール本体を包囲するように設けられている。枠体は、第１の枠片を有する。第１の枠片は、モジュール本体の一端面の外側に配されている。第１の枠片は、第１の部分と、第２の部分と、第３の部分と、第４の部分とを含む。第１の部分は、モジュール本体の一主面上に配されている。第２の部分は、モジュール本体の他主面上に配されている。第３の部分は、モジュール本体の一端面の外側に配されている。第３の部分は、第１の部分と第２の部分とを接続している。第４の部分は、第１の部分の第
３の部分との接続部から外側に向かって延びている。第４の部分は、厚み方向に貫通する貫通孔を有する。第１の枠片は、第５の部分をさらに含む。第５の部分は、第４の部分の外側端部から一端面と平行に延びている。枠体は、第２の枠片をさらに有する。第２の枠片は、モジュール本体の一端面と平行な他端面の外側に配されている。第２の枠片は、第６の部分と、第７の部分と、第８の部分と、第９の部分と、第１０の部分とを含む。第６の部分は、モジュール本体の一主面上に配されている。第７の部分は、モジュール本体の他主面上に配されている。第８の部分は、モジュール本体の一端面の外側に配されている。第８の部分は、第６の部分と第７の部分とを接続している。第９の部分は、第６の部分の第８の部分との接続部から外側に向かって延びている。第１０の部分は、第９の部分の外側端部から一端面と平行に延びている。複数の太陽電池モジュールが、第５の部分と第１０の部分とが当接するように敷設されている。
【発明の効果】
【０００８】
本発明によれば、モジュール本体の受光面側の主面の上の水の排出効率に優れる太陽電池モジュールを提供することができる。
【図面の簡単な説明】
【０００９】
【図１】本発明の一実施形態に係る太陽電池モジュールの略図的平面図である。
【図２】本発明の一実施形態に係る太陽電池モジュールの略図的裏面図である。
【図３】図１の線ＩＩＩ−ＩＩＩにおける略図的断面図である。
【図４】図１の線ＩＶ−ＩＶにおける略図的断面図である。
【図５】図１の線Ｖ−Ｖにおける略図的断面図である。
【図６】図１の線ＶＩ−ＶＩにおける略図的断面図である。
【図７】図１の線ＶＩＩ−ＶＩＩにおける略図的断面図である。
【図８】本発明の一実施形態における太陽電池モジュールの設置構造の模式的平面図である。
【発明を実施するための形態】
【００１０】
以下、本発明を実施した好ましい形態の一例について説明する。但し、下記の実施形態は、単なる例示である。本発明は、下記の実施形態に何ら限定されない。
【００１１】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１２】
図１及び図２に示されるように、太陽電池モジュール１は、モジュール本体１０と、枠体２０とを有する。モジュール本体１０は、太陽電池１１を含む。具体的には、モジュール本体１０は、図示しない配線材によって電気的に接続された複数の太陽電池１１を有する。太陽電池１１は、第１の保護部材と第２の保護部材との間に設けられた充填材層中に配されている。第１及び第２の保護部材は、それぞれ、ガラス板、樹脂シート、金属層が設けられた樹脂シート等によって構成することができる。充填材層は、例えば、エチレン・酢酸ビニル共重合体などの架橋性樹脂やポリオレフィンなどの非架橋性樹脂により構成することができる。
【００１３】
モジュール本体１０は、矩形状である。図３〜図６に示されるように、モジュール本体１０は、互いに平行な第１及び第２の端面１０ａ、１０ｂと、互いに平行な第３及び第４の端面１０ｃ、１０ｄとを有する。
【００１４】
枠体２０は、モジュール本体１０を包囲するように額縁状に設けられている。図３〜図６に示されるように、枠体２０は、モジュール本体１０の端縁部が挿入されている溝２０ａを有する。溝２０ａ内には、枠体２０とモジュール本体１０とを接着している接着材が設けられていてもよい。接着材は、止水材としての機能を兼ね備えていてもよい。接着材は、例えば、シリコーン樹脂、シリコーンゴム、ブチルゴム、粘着材、粘着テープ、接着テープ等により構成することができる。
【００１５】
枠体２０は、第１の枠片２１と、第２の枠片２２と、第３の枠片２３と、第４の枠片２４とを有する。第１の枠片２１は、第１の端面１０ａの外側に配されている。第２の枠片２２は、第２の端面１０ｂの外側に配されている。第３の枠片２３は、第３の端面１０ｃの外側に配されている。第４の枠片２４は、第４の端面１０ｄの外側に配されている。
【００１６】
図３及び図５に示されるように、第１の枠片２１は、第１の部分２１ａ、第２の部分２１ｂ、第３の部分２１ｃ、第４の部分２１ｄ及び第５の部分２１ｅを含む。
【００１７】
第１の部分２１ａは、モジュール本体１０の主面１０ｅの上に配されている。第１の部分２１ａの先端部の厚みは、基端側から先端側に向かって小さくなっている。
【００１８】
第２の部分２１ｂは、モジュール本体１０の主面１０ｆの上に配されている。第２の部分２１ｂの先端部の厚みは、基端側から先端側に向かって小さくなっている。
【００１９】
第３の部分２１ｃは、モジュール本体１０の端面１０ａの外側に配されている。第３の部分２１ｃは、第１の部分２１ａの基端部と、第２の部分２１ｂの基端部とを接続している。これら第１〜第３の部分２１ａ〜２１ｃによって溝２０ａが構成されている。
【００２０】
第４の部分２１ｄは、第１の部分２１ａの第３の部分２１ｃとの接続部から外側に向かって延びている。第４の部分２１ｄは主面１０ｅと平行であって、第４の部分２１ｄの受光面側の面と第１の部分２１ａの受光面側の面とは同一平面となる。図１に示されるように、第４の部分２１ｄには、厚み方向に貫通する貫通孔２１ｄ１，２１ｄ２が設けられている。貫通孔２１ｄ１は、第４の部分２１ｄの一方側端部に設けられた切欠により構成されている。切欠は、平面視において端面１０ａの延びる方向に開口を有する。貫通孔２１ｄ２は、第４の部分２１ｄの他方側端部に設けられた切欠により構成されている。切欠は、平面視において端面１０ａの延びる方向に開口を有する。
【００２１】
第１の部分２１ａには、貫通孔２１ｄ１に連なる欠損部２１ａ１が設けられている。第３の部分２１ｃの欠損部２１ａ１と貫通孔２１ｄ１との間に位置する部分の主面１０ｅ側の先端は、主面１０ｅと面一となっている。
【００２２】
第１の部分２１ａには、貫通孔２１ｄ２に連なる欠損部２１ａ２が設けられている。第３の部分２１ｃの欠損部２１ａ２と貫通孔２１ｄ２との間に位置する部分の主面１０ｅ側の先端は、主面１０ｅと面一となっている。
【００２３】
第５の部分２１ｅは、第４の部分２１ｄの外側端部から端面１０ａと平行に延びている。このため、第５の部分２１ｅと第４の部分２１ｄとは直交している。
【００２４】
図６に示されるように、第２の枠片２２は、第６の部分２２ａ、第７の部分２２ｂ、第８の部分２２ｃ、第９の部分２２ｄ及び第１０の部分２２ｅを含む。
【００２５】
第６の部分２２ａは、モジュール本体１０の主面１０ｅの上に配されている。第６の部
分２２ａの先端部の厚みは、基端側から先端側に向かって小さくなっている。
【００２６】
第７の部分２２ｂは、モジュール本体１０の主面１０ｆの上に配されている。第７の部分２２ｂの先端部の厚みは、基端側から先端側に向かって小さくなっている。
【００２７】
第８の部分２２ｃは、モジュール本体１０の端面１０ｂの外側に配されている。第８の部分２２ｃは、第６の部分２２ａの基端部と、第７の部分２２ｂの基端部とを接続している。これら第６〜第８の部分２２ａ〜２２ｃによって溝２０ａが構成されている。
【００２８】
第９の部分２２ｄは、第６の部分２２ａの第８の部分２２ｃとの接続部から外側に向かって延びている。第９の部分２２ｄは主面１０ｅと平行であって、第９の部分２２ｄの受光面側の面と第６の部分２２ａの受光面側の面とは同一平面となる。図１に示されるように、第９の部分２２ｄには、厚み方向に貫通する貫通孔２２ｄ１，２２ｄ２が設けられている。貫通孔２２ｄ１は、第９の部分２２ｄの一方側端部に設けられた切欠により構成されている。切欠は、平面視において端面１０ｂの延びる方向に開口を有する。貫通孔２２ｄ２は、第９の部分２２ｄの他方側端部に設けられた切欠により構成されている。切欠は、平面視において端面１０ｂの延びる方向に開口を有する。
【００２９】
第６の部分２２ａには、貫通孔２２ｄ１に連なる欠損部２２ａ１が設けられている。第８の部分２２ｃの欠損部２２ａ１と貫通孔２２ｄ１との間に位置する部分の主面１０ｅ側の先端は、主面１０ｅと面一となっている。
【００３０】
第６の部分２２ａには、貫通孔２２ｄ２に連なる欠損部２２ａ２が設けられている。第８の部分２２ｃの欠損部２２ａ２と貫通孔２２ｄ２との間に位置する部分の主面１０ｅ側の先端は、主面１０ｅと面一となっている。
【００３１】
第１０の部分２２ｅは、第９の部分２２ｄの外側端部から端面１０ｂと平行に延びている。このため、第１０の部分２２ｅと第９の部分２２ｄとは直交している。
【００３２】
図７に示されるように、第３の枠片２３は、第１１の部分２３ａ、第１２の部分２３ｂ及び第１３の部分２３ｃを含む。
【００３３】
第１１の部分２３ａは、モジュール本体１０の主面１０ｅの上に配されている。第１１の部分２３ａの先端部の厚みは、基端側から先端側に向かって小さくなっている。
【００３４】
第１２の部分２３ｂは、モジュール本体１０の主面１０ｆの上に配されている。第１２の部分２３ｂの先端部の厚みは、基端側から先端側に向かって小さくなっている。
【００３５】
第１３の部分２３ｃは、モジュール本体１０の端面１０ｃの外側に配されている。第１３の部分２３ｃは、第１１の部分２３ａの基端部と、第１２の部分２３ｂの基端部とを接続している。これら第１１〜第１３の部分２３ａ〜２３ｃによって溝２０ａが構成されている。
【００３６】
第１３の部分２３ｃには、外側に向かって開口しており、ねじ山が設けられた溝２３ｃ１が設けられている。溝２３ｃ１は、第１３の部分２３ｃの一方側端部から他方側端部に渡って設けられている。この溝２３ｃ１に挿入されたねじ３１，３２（図１を参照）によって、第３の枠片２３と、第１及び第２の枠片２１，２２とが固定されている。
【００３７】
図４に示されるように、第４の枠片２４は、第１４の部分２４ａ、第１５の部分２４ｂ及び第１６の部分２４ｃを含む。
【００３８】
第１４の部分２４ａは、モジュール本体１０の主面１０ｅの上に配されている。第１４の部分２４ａの先端部の厚みは、基端側から先端側に向かって小さくなっている。
【００３９】
第１５の部分２４ｂは、モジュール本体１０の主面１０ｆの上に配されている。第１５の部分２４ｂの先端部の厚みは、基端側から先端側に向かって小さくなっている。
【００４０】
第１６の部分２４ｃは、モジュール本体１０の端面１０ｄの外側に配されている。第１６の部分２４ｃは、第１４の部分２４ａの基端部と、第１５の部分２４ｂの基端部とを接続している。これら第１４〜第１６の部分２４ａ〜２４ｃによって溝２０ａが構成されている。
【００４１】
第１６の部分２４ｃには、外側に向かって開口しており、ねじ山が設けられた溝２４ｃ１が設けられている。溝２４ｃ１は、第１６の部分２４ｃの一方側端部から他方側端部に渡って設けられている。この溝２４ｃ１に挿入されたねじ３３，３４（図１を参照）によって、第４の枠片２４と、第１及び第２の枠片２１，２２とが固定されている。
【００４２】
図８は、本実施形態における太陽電池モジュール１の設置構造２の模式的平面図である。図８に示されるように、設置構造２は、複数の太陽電池モジュール１を備えている。複数の太陽電池モジュール１は、密に敷設されている。複数の太陽電池モジュール１は、太陽電池モジュール１の長手方向に沿って延びる固定部材３によって、例えば屋根などに対して固定されている。固定部材３は、太陽電池モジュール１の短手方向における両端部を長手方向における一方側から他方側に渡って固定している。
【００４３】
太陽電池モジュール１の長手方向に隣接する太陽電池モジュール１は、一方の太陽電池モジュールの第５の部分２１ｅと、他方の太陽電池モジュールの第１０の部分２２ｅとが当接するように敷設されている。
【００４４】
以上説明したように、第４の部分２１ｄには、貫通孔２１ｄ１，２１ｄ２が設けられている。第９の部分２２ｄには、貫通孔２２ｄ１，２２ｄ２が設けられている。このため、例えば、複数の太陽電池モジュール１が、第５の部分２１ｅと第１０の部分２２ｅとが当接するように密に敷設された場合であっても、主面１０ｅ上の水が、貫通孔２１ｄ１，２１ｄ２，２２ｄ１，２２ｄ２を経由して、太陽電池モジュール１の裏面側に好適に排出される。
【００４５】
さらに、太陽電池モジュール１では、第１の部分２１ａには、貫通孔２１ｄ１に連なる欠損部２１ａ１と、貫通孔２１ｄ２に連なる欠損部２１ａ２とが設けられている。第６の部分２２ａには、貫通孔２２ｄ１に連なる欠損部２２ａ１と、貫通孔２２ｄ２に連なる欠損部２２ａ２とが設けられている。従って、主面１０ｅ上の水が、貫通孔２１ｄ１，２１ｄ２，２２ｄ１，２２ｄ２を経由して、太陽電池モジュール１の裏面側により好適に排出される。また、モジュール本体１０の四隅に貫通孔２１ｄ１，２１ｄ２，２２ｄ１，２２ｄ２が設けられているため、主面１０ｅ上に水が溜まりにくい。
【００４６】
さらに、太陽電池モジュール１では、第８の部分２２ｃの欠損部２２ａ１と貫通孔２２ｄ１との間に位置する部分の主面１０ｅ側の先端は、主面１０ｅと面一となっている。第８の部分２２ｃの欠損部２２ａ２と貫通孔２２ｄ２との間に位置する部分の主面１０ｅ側の先端は、主面１０ｅと面一となっている。第３の部分２１ｃの欠損部２１ａ１と貫通孔２１ｄ１との間に位置する部分の主面１０ｅ側の先端は、主面１０ｅと面一となっている。第３の部分２１ｃの欠損部２１ａ２と貫通孔２１ｄ２との間に位置する部分の主面１０ｅ側の先端は、主面１０ｅと面一となっている。従って、主面１０ｅ上の水が、貫通孔２
１ｄ１，２１ｄ２，２２ｄ１，２２ｄ２を経由して、太陽電池モジュール１の裏面側にさらに好適に排出される。なお、第３の部分２１ｃの欠損部２１ａ１の端面、第８の部分２２ｃの欠損部２２ａ２の端面は、主面１０ｅより主面１０ｆ側となるように設けてもよい。
【００４７】
また、貫通孔２１ｄ１，２１ｄ２，２２ｄ１，２２ｄ２が設けられているため、敷設された太陽電池モジュール１の裏面側と受光面側とが連通している。よって、太陽電池モジュール１の裏面側の空間の空気が循環しやすい。従って、太陽電池モジュール１の裏面側の空間の温度が上昇し、太陽電池モジュール１の温度が上昇することを効果的に抑制することができる。
【００４８】
なお、図１及び図２に示す第１の枠片２１および第２の枠片２２は、第３の枠片２３および第４の枠片２４より短い例を示した。第１の枠片２１および第２の枠片２２が、第３の枠片２３および第４の枠片２４より長い構成としても、上述の効果を得ることができる。
【００４９】
また、第１の枠片２１および第２の枠片２２を同一の構造とした。第１の枠片２１および第２の枠片２２が、異なる構造であっても、上述の効果を得ることができる。例えば、第１の枠片２１に設ける貫通孔の数と、第２の枠片２２に設ける貫通孔の数とを異ならせた構造としてもよいし、第１の枠片２１、第２の枠片２２のうちいずれか一方には貫通孔を設けない構造としてもよい。
【００５０】
第１の枠片２１および第２の枠片２２に設けられる貫通孔は、第１の枠片２１および第２の枠片２２それぞれが延びる方向の両端部に設ける構成としたが、例えば、第１の枠片２１および第２の枠片２２それぞれが延びる方向の両端部以外に設ける構造としてもよい。
【符号の説明】
【００５１】
１…太陽電池モジュール
２…設置構造
１０…モジュール本体
１０ａ…第１の端面
１０ｂ…第２の端面
１０ｃ…第３の端面
１０ｄ…第４の端面
１０ｅ…主面
１０ｆ…主面
１１…太陽電池
２０…枠体
２１…第１の枠片
２１ａ…第１の部分
２１ａ１，２１ａ２…欠損部
２１ｂ…第２の部分
２１ｃ…第３の部分
２１ｄ…第４の部分
２１ｄ１，２１ｄ２，２２ｄ１，２２ｄ２…貫通孔
２１ｅ…第５の部分
２２…第２の枠片
２２ａ…第６の部分
２２ａ１，２２ａ２…欠損部
２２ｂ…第７の部分
２２ｃ…第８の部分
２２ｄ…第９の部分
２２ｅ…第１０の部分
【図１】
0005857242.tif 000002
【図２】
0005857242.tif 000003
【図３】
0005857242.tif 000004
【図４】
0005857242.tif 000005
【図５】
0005857242.tif 000006
【図６】
0005857242.tif 000007
【図７】
0005857242.tif 000008
【図８】
0005857242.tif 000009